(57)【要約】【課題】二重読取などの読取不良を容易かつ確実に確認することができる商品販売データ処理装置を提供する。【解決手段】商品１０２のバーコード１０２ａを読み取って処理するＰＯＳターミナル１００において、ＣＣＤエリアセンサを備えてなり、バーコードの読取範囲を含む範囲を撮像して映像情報を出力するカメラ５０１と、前記映像情報から前記情報コードシンボルを抽出して撮像範囲における情報コードシンボルの位置情報を獲得して出力すると共に、前記映像情報の情報コードシンボルから商品コードを抽出して出力する商品コード認識装置５０２と、前記映像情報に前記位置情報を合成して合成映像として出力するバーコード位置情報追記装置５０４と、前記合成された映像情報及び位置情報を位置情報付映像情報として格納する映像保存装置５０５と、を備えた。【選択図】図２
2007334493.tif 000002
【特許請求の範囲】
【請求項１】
商品に付された情報コードシンボルを読み取って処理する商品販売データ処理装置において、
２次元エリアセンサを備えてなり、情報コードシンボルの読取範囲を含む範囲を撮像して映像情報を出力する手段と、
前記映像情報から前記情報コードシンボルの映像を抽出して撮像範囲における情報コードシンボルの位置情報を獲得して出力する手段と、
前記映像情報の情報コードシンボルから商品コードを抽出して出力する手段と、
前記映像情報に前記位置情報を合成して合成映像として出力する手段と、
前記合成映像を格納する手段と、
を備えたことを特徴とする商品販売データ処理装置。
【請求項２】
前記位置情報は、情報コードシンボルを囲む枠の映像であることを特徴とする請求項１記載の商品販売データ処理装置。
【請求項３】
前記商品コードを抽出した時期を示す時期データ及び前記商品コードの少なくとも一方のデータを前記合成映像に付加する手段を備えることを特徴とする請求項１又は２記載の商品販売データ処理装置。
【請求項４】
前記時期データ又は商品コードに基づいて前記合成画像を検索する手段を備えることを特徴とする請求項３記載の商品販売データ処理装置。
【発明の詳細な説明】
【技術分野】
【０００１】
本発明は商品販売データ処理装置に係り、特に商品に付されたバーコード等の情報コードシンボルを読み取って処理するキャッシュレジスタ等の商品販売データ処理装置に関する。
【背景技術】
【０００２】
従来、スーパーマーケット等の店舗では、商品に商品コードを表現した情報コードシンボルであるバーコードが印刷された商品ラベルを貼り付けるか、商品の出荷過程で商品の表面に商品コードを印刷して店舗に納入している。このバーコードは商品販売データ処理装置であるキャシュレジスタのバーコード読取装置で読み取られ、商品コードが認識され購入商品の生産や売上の管理に使用されている。
【０００３】
このような、キャッシュレジスタで商品の管理を行うに際して、在庫と売上とが整合しないことがある。このような不整合は、例えば、バーコードの二重読取等の読取不良に起因することがある。
【０００４】
ここで、バーコードの二重読取は、同一商品を２回にわたりバーコード読取装置で読み取らせることや、一度読取が終了した商品を回転させてしまうことで再度のバーコード読み取りが行われることにより生じる。
【０００５】
従来、二重読取等の読取不良が発生したことを確認するためのものではないが、商品販売データ入力後に画像で誤入力を確認する装置として以下の商品販売データ処理装置が提案されている（特許文献１参照）。
【０００６】
図７は従来の商品販売データ処理装置の構成を示すブロック図である。
【０００７】
この商品販売データ処理装置は、図７に示すように、商品販売データ処理装置であるＰＯＳターミナル７０１に、ビデオカメラ７０２と、ミキシング装置７０３と、ビデオテープレコーダ７０４と、モニタＴＶ７０５とを備えている。この商品販売データ処理装置では、ＰＯＳターミナル７０１で読み取られる商品の入力動作と共にビデオカメラ７０２で撮影し、ミキシング装置７０３でビデオカメラ７０２の撮影映像とＰＯＳターミナル７０１で登録され表示される表示画面とを合成し、ビデオテープレコーダ７０４で録画しておくようにしたものである。この商品販売データ処理装置では、以下のように処理がなされている。
【０００８】
図８は図７に示した商品販売データ処理装置の処理の流れを示すフローチャートである。本例では、ビデオカメラ７０２では、商品をその入力動作と共に撮影している。商品コードを入力するためＰＬＵキーが入力されると、ＰＯＳターミナル７０１は、ＰＬＵファイルを検索して（ステップＳ１１）、ＰＬＵ入力された商品コードに該当する販売情報を読み出す（ステップＳ１２）。次いでＰＯＳターミナル７０１は、登録処理を行い（ステップＳ１３）、品名と金額とを印字する（ステップＳ１４）と共に表示装置に表示する（ステップＳ１５）。そして、ＰＯＳターミナル７０１は、ミキシング装置７０３で、上述したビデオカメラ７０２の撮影映像に前記表示装置への表示画像を合成しビデオテープレコーダ７０４に出力する。
【０００９】
このようにして、ビデオテープレコーダ７０４は、ビデオカメラ７０２の映像と、商品名、金額を表した表示画像とを録画していく。
【００１０】
これにより、購入された商品の映像情報を確認できると共に同一の画面上でそのときのオペレータによる商品の商品名、金額などの登録内容も確認できる。
【００１１】
【特許文献１】特開平２−２３０４９６号公報
【発明の開示】
【発明が解決しようとする課題】
【００１２】
しかしながら、特許文献１に記載のものにあっては、入力動作中に撮影された商品の映像及び登録された商品情報（商品名、金額）がビデオテープレコーダに記録されているだけであるから、実際にＰＯＳターミナルに登録された商品と商品情報とを対応付けるには、操作者が映像に現れる商品と、表示される商品情報と一つずつ対応させて確認していく必要がある。そして、この確認の際、撮影された商品についてバーコードが入力されたか否かについては、操作者の判断にゆだねられることになる。
【００１３】
従って、特許文献１に記載の商品販売データ処理装置では、二重読取の確認作業を行うには、手間と時間がかかる他、その判断が不確実になることがある。
【００１４】
そこで本発明は、二重読取などの読取不良を容易かつ確実に確認することができる商品販売データ処理装置を提供することを目的とする。
【課題を解決するための手段】
【００１５】
本発明において上記の課題を解決するための手段は、商品に付された情報コードシンボルを読み取って処理する商品販売データ処理装置において、２次元エリアセンサを備えてなり、情報コードシンボルの読取範囲を含む範囲を撮像して映像情報を出力する手段と、前記映像情報から前記情報コードシンボルを抽出して撮像範囲における情報コードシンボルの位置情報を獲得して出力する手段と、前記映像情報の情報コードシンボルから商品コードを抽出して出力する商品コード抽出装置と、前記映像情報に前記位置情報を合成して合成映像として出力する手段と、前記合成された映像情報及び位置情報を位置情報付映像情報として格納する手段と、を備えたことを特徴とする商品販売データ処理装置である。
【発明の効果】
【００１６】
本発明によれば、商品販売データ処理装置には、位置情報付映像情報として、実際にコードシンボルが認識される基礎となった商品が撮影された映像に読み取られたコードシンボルの位置情報が合成された映像が格納されているから、読取対象となった商品の画像とコードシンボルの位置情報とを容易に一対一に対応させることができる。このため、二重読取などの読取不良を効率的かつ確実に検証することができる。
【発明を実施するための最良の形態】
【００１７】
以下本発明に係る商品販売データ処理装置であるＰＯＳターミナルの実施の形態を図１乃至図６に基づいて説明する。
【００１８】
図１は本発明の実施の形態に係るＰＯＳターミナルを示す図であり、（ａ）はバーコード読取前の状態を示す斜視図、（ｂ）はバーコード読取中の状態を示す斜視図である。
【００１９】
本例では、ＰＯＳターミナル１００は、ＰＯＳターミナル本体１０６にカメラ５０１（図２参照）の撮像窓１０７と、オペレータ用表示部１０８と、データ入力用キー１０９とが備えられてなり、サッカー台１０５の上に配置される。
【００２０】
本例では、バーコード１０２ａ、１０３ａが付された商品１０２，１０３は、図１（ａ），（ｂ）に示すように、順次精算前商品かご１０１から精算後商品かご１０４に移動させられる途中でバーコード１０２ａ，１０３ａが撮像窓１０７に向けられ、バーコード１０２ａ，１０３ａが読み取られる。
【００２１】
即ち、本例では、商品データの読取に際して、商品１０２は、精算前商品かご１０１から、移動経路２０１に沿って移動され、精算後商品かご１０４に移される。この移動経路２０１において、撮像窓１０７から商品１０２が撮影される。このとき、カメラ５０１は撮像窓１０７から所定の撮影範囲で商品を撮影する。そして、このカメラ５０１が撮影した映像からバーコード１０２ａの画像が抽出され、商品コードが読み取られる。また、本例では、カメラ５０１では、前記商品１０２の移動経路中に撮影範囲における映像を撮影する。
【００２２】
同様にして、次の商品１０３も精算前商品かご１０１から精算後商品かご１０４に移動経路２０２を経て移動され、バーコード１０３ａがカメラ５０１で撮影され、バーコード１０３ａの画像が抽出され、商品コードが読み取られる。
【００２３】
オペレータは、この手順で精算前商品かご１０１内に載置されている購買対象の商品を順次取り出し、精算後商品かご１０４に移動しながら撮像窓１０７の前を通過させ、商品コードを読み取らせる。そして最後の商品を精算後商品かご１０４に移動した後、読取作業終了を指示する締め処理を行う。これにより、一連の商品販売データの処理は終了する。
【００２４】
次に本例に係るＰＯＳターミナルの構成について説明する。
【００２５】
図２はＰＯＳターミナルの処理システムを示すブロック図である。
【００２６】
本例では、ＰＯＳターミナル１００には、カメラ５０１と、商品コード認識装置５０２と、映像記録制御装置５０３と、バーコード位置情報追記装置５０４と、映像保存装置５０５と、ＰＯＳ端末機能部５０６と、映像表示装置５０７とを備える。
【００２７】
カメラ５０１は、上述した撮像窓１０７からバーコードが貼付された商品を撮影する２次元エリアセンサであるＣＣＤ撮像素子を備えるビデオカメラである。カメラ５０１が撮影した映像は、前記商品コード認識装置５０２と、前記バーコード位置情報追記装置５０４と、前記映像記録制御装置５０３に送出される。
【００２８】
商品コード認識装置５０２は、カメラ５０１が撮像した映像からバーコードの映像を抽出してバーコード位置情報をバーコード位置情報追記装置５０４に送出すると共に、バーコードが意味する商品コードをＰＯＳ端末機能部５０６に送出する。
【００２９】
本例では、前記バーコード位置情報は、認識されるべきバーコードの映像を抽出した方形の枠を映像として表示する映像情報である。
【００３０】
映像記録制御装置５０３は、カメラ５０１からの映像信号と、ＰＯＳ端末機能部５０６からの商品コード情報を受け、バーコード位置情報追記装置５０４を制御する。ここで、前記商品コード情報は、ＰＯＳ端末機能部５０６が商品コード認識装置５０２から受け取った商品コードと、ＰＯＳ端末機能部５０６が商品コード認識装置５０２から商品コードを読み取った時刻情報ｔとを含んでいる。
【００３１】
映像記録制御装置５０３は、ＰＯＳ端末機能部５０６からの商品コード情報から一連の商品コードと、一連の処理における商品コードの時刻情報ｔから一つ一つの商品コードの読取開始時刻Ｔｓと読取終了時刻Ｔｅとを設定してバーコード位置情報追記装置５０４の制御を行う。
【００３２】
バーコード位置情報追記装置５０４は、映像記録制御装置５０３の制御により、読取開始時刻Ｔｓから読取終了時刻Ｔｅまでの間、カメラ５０１からの映像に前記商品コード認識装置５０２からのバーコード位置情報を追記した合成映像を作成するとともに、映像記録制御装置５０３からの商品コード、及び、一つ一つの商品コードの読取開始時刻Ｔｓ、読取終了時刻Ｔｅを格納する。即ち、本例では、バーコード位置情報追記装置５０４は、一連の入力処理で読み取った商品について合成画像、商品コード、読取開始時刻Ｔｓ、読取終了時刻Ｔｅを映像保存装置５０５に出力する。
【００３３】
映像保存装置５０５は、映像格納デバイスとして例えばハードディスクを備え、前記バーコード位置情報追記装置５０４が作成したファイルを順次保存する。
【００３４】
ＰＯＳ端末機能部５０６は、前記商品コード認識装置５０２からの商品コードを元に商品登録を行う。また、ＰＯＳ端末機能部５０６は、通常のＰＯＳ端末が備える商品データ管理機能、金銭登録機能、通信機能を備える他、映像記録制御装置５０３への時間制御信号、映像保存装置５０５の映像出力制御信号、映像表示装置５０７の制御信号を出力する。
【００３５】
映像表示装置５０７は、ＣＲＴあるいはＬＣＤで構成されており、前記映像保存装置５０５が格納した合成映像を表示する。即ち、映像表示装置５０７はＰＯＳ端末機能部５０６から映像表示装置５０７への指示により、映像保存装置５０５からの記録映像を表示する。
【００３６】
本例では、商品コード認識装置５０２では、以下のように映像からバーコードの認識を行い、バーコード位置情報の作成及び送出を行う。
【００３７】
図３は商品コード認識時の撮影画像を示す模式図である。
【００３８】
本例では、撮影画像４０１中には、画像として値札４０３が貼付された商品４０２があり、値札４０３にはバーコード４０４が表示されている。
【００３９】
商品コード認識装置５０２は、撮影画像４０１からバーコード４０４が含まれる領域４０５を抽出してその位置及び商品コード認識対象となるバーコード画像を確定する。そして、商品コード認識装置５０２は、確定されたバーコード画像から抽出されたバーコード４０４の画像から所定の方法で商品コードを生成しＰＯＳ端末機能部５０６に送出する。また、商品コード認識装置５０２は、確定された領域４０５の輪郭４０６を含む映像をバーコード位置情報として出力する。
【００４０】
本例では、このバーコード位置情報は、撮影画像４０１中において配置位置についての情報を保持したものであり、この位置情報を撮影画像４０１に合成することにより、撮影画像中にバーコード４０４の周囲に枠４０６が表示され合成映像が得られるものである。
【００４１】
次に、本例に係るＰＯＳターミナルの処理について説明する。
【００４２】
図４は実施の形態に係る商品販売データ処理装置の映像保存装置の合成画像の格納状態を示す模式図、図５は実施の形態に係る商品販売データ処理装置の作動を示すフローチャート、である。
【００４３】
本例に係るＰＯＳターミナル１００において商品の商品コードを読み取るときには、図１（ａ）、（ｂ）に示すように、精算前商品かご１０１から商品１０２，１０３を順に取り出し、バーコード１０２ａ，１０３ａを撮像窓１０７に向けつつ移動経路２０１、移動経路２０２に沿って移動させ精算後商品かご１０４に移していく。
【００４４】
本例では、ＰＯＳ端末機能部５０６は、一連の商品のバーコード認識に際して一つ一つの商品コードの読取開始時刻Ｔｓと読取終了時刻Ｔｅを以下のように決定する。そして、バーコード位置情報追記装置５０４は、図４に示すように、一連の商品読取処理における合成映像、商品コード、各商品コードの読取開始時刻Ｔｓ、読取終了時刻Ｔｅを映像保存装置５０５に格納する。
【００４５】
即ち、バーコード位置情報追記装置５０４では、図５に示すように、商品コード認識装置５０２でバーコードの読取がなされると（ステップＳ１）、この商品が最初の読取かどうかを判定する（ステップＳ２）。最初の読み取りである場合は読取開始時刻ＴｓとしてＰＯＳ読取作業の開始時刻を設定（ステップＳ３）する。最初の読み取りでない場合は、前の商品の読取時刻を読取開始時刻Ｔｓとして設定する（ステップＳ７）。
【００４６】
次に、今回の商品の読取時刻をＴｅとして更新して（ステップＳ４）、ＴｓとＴｅの間の映像を映像記録装置に記録する（ステップＳ５）。
【００４７】
その後、締め処理がされ、最後の商品読取とされたとき（ステップＳ６）にＰＯＳ読取作業は終了する。
【００４８】
この処理において、バーコード位置情報追記装置５０４には、商品コード認識装置５０２からはバーコード位置情報が入力され、また、カメラ５０１からは映像が入力されるほか、映像記録制御装置５０３からは、上記商品コードとこの商品コードの読取開始時刻Ｔｓと、読取終了時刻Ｔｅとが入力される。
【００４９】
このようにして、最初の商品から商品の読取から、最後の商品の読取に至るまで、バーコード位置情報追記装置５０４は、一つ一つの商品について、商品コード、前記Ｔｓ、Ｔｅ、映像に位置情報を追記した合成映像を記録していき、最初の商品（商品１）から最後の商品（商品Ｎ）までの情報を、一つのファイルとして格納する（図４参照）。
【００５０】
従って、本例に係るＰＯＳターミナル１００によれば、二重読取の疑いがある場合には、映像表示装置５０７で映像保存装置５０５の合成画像を表示し容易かつ確実に二重読取を検証することができる。即ち、二重読取の検証時には、検索情報として商品コードや、読取時刻をＰＯＳ端末機能部５０６から映像保存装置５０５に指定することにより、映像保存装置５０５はこの検索情報に基づいて映像保存装置５０５の格納したデータを検索し、容易に合成映像を映像表示装置５０７に表示させることができる。
【００５１】
二重読取は、例えば、図６に示すように、商品１０３が移動経路３０１を経て移動されて、撮像窓１０７から商品コード読取が行われた後、精算後商品かご１０４に積載されることなく異常な移動経路３０２を経て再び撮像窓１０７の前に移動し２度目の読取が行われ、さらに移動経路３０３を経て移動して精算後商品かご１０４に積載されたときに発生する。
【００５２】
この状態の合成映像を再生すると、１つの商品１０３が、最初の商品コードを読み取った後、異常な移動経路３０２を経て再度読み取られたことが確認できる。
【００５３】
この際、表示される画像には、読み取ったバーコードを示す枠が表示されるので、どの商品のどの部分で商品コードを認識したかが明確に検証できる。従って、商品コードの位置情報と、商品の移動経路とを確認することにより、二重読取がどの商品で発生したかが容易かつ確実に検証できる。
【００５４】
また、二重読取として、撮像窓前で、商品を回転させてしまったような場合にも、同様に二重読取がどの商品で発生したかが容易かつ確実に検証できる。
【００５５】
そして、上述のように、本例では、映像保存装置５０５に保存された合成画像は、読取開始時刻Ｔｓ、読取終了時刻Ｔｅ、及び商品コードに基づいて検索を行うことができるので、二重読取の検証をより迅速に行うことができる。
【図面の簡単な説明】
【００５６】
【図１】本発明の実施の形態に係るＰＯＳターミナルを示す図であり、（ａ）はバーコード読取前の状態を示す斜視図、（ｂ）はバーコード読取中の状態を示す斜視図である。
【図２】図１に示したＰＯＳターミナルの処理システムを示すブロック図である。
【図３】商品コード認識時における撮影画像を示す模式図である。
【図４】実施の形態に係る商品販売データ処理装置の映像保存装置の合成画像の格納状態を示す模式図である。
【図５】実施の形態に係る商品販売データ処理装置の作動を示すフローチャートである。
【図６】バーコードの二重読取の状態を示すＰＯＳターミナルの斜視図である。
【図７】従来の商品販売データ処理装置の電気的構成を示すブロック図である。
【図８】図７に示した商品販売データ処理装置の動作を示すフローチャートである。
【符号の説明】
【００５７】
１００  ＰＯＳターミナル，１０２、１０３  商品，１０２ａ、１０３ａ  バーコード，５０１  カメラ，５０２  商品コード認識装置，５０３  映像記録制御装置，５０３  画像記録制御装置，５０４  バーコード位置情報追記装置，５０５  映像保存装置，５０７  映像表示装置
【図１】
2007334493.tif 000003
【図２】
2007334493.tif 000004
【図３】
2007334493.tif 000005
【図４】
2007334493.tif 000006
【図５】
2007334493.tif 000007
【図６】
2007334493.tif 000008
【図７】
2007334493.tif 000009
【図８】
2007334493.tif 000010